(57)【要約】【課題】ＢＧＭ等を流している店舗等でも、店舗内の人に緊急地震速報を確実に伝えることができ、且つ店舗内にいる人を慌てさせることなく、適当な対応を取らせることができる音声出力切替装置を提供する。【解決手段】音声出力切替装置１は、通常時、外部入力部６に入力されている音声信号を、音声出力部８から出力する。また、音声出力切替装置１は、チューナ部３で緊急地震速報を受信すると、音声出力部８から出力する音声信号を、チューナ部３で受信しているラジオ放送に切り替える。また、音声出力切替装置１は、操作部９のリセットボタンが操作されたとき、外部入力部６に入力されている音声信号を、音声出力部８から出力する。【選択図】図１
2009129348.tif 000002
【特許請求の範囲】
【請求項１】
ラジオ放送が入力されるラジオ放送入力部と、
接続されている外部機器から音声信号が入力される音声信号入力部と、
前記ラジオ放送入力部に入力されているラジオ放送の音声信号、または前記音声信号入力部に入力されている音声信号の少なくとも一方を出力する音声信号出力部と、
前記ラジオ放送入力部に入力されているラジオ放送による音声信号を、前記音声信号出力部から出力するかどうかを切り替える音声出力切替部と、
前記ラジオ放送入力部が特定の音声にかかる特定音声信号を受信したかどうかを検知する特定音声信号検知部と、
前記特定音声信号検知部が前記特定音声信号を受信したことを検知すると、前記音声出力切替部に対して前記ラジオ放送入力部に入力されているラジオ放送による音声信号の出力を指示する制御部と、を備えた音声出力切替装置。
【請求項２】
前記ラジオ放送入力部は、選局されているチャンネルのラジオ放送を受信し、出力するチューナである、請求項１に記載の音声出力切替装置。
【請求項３】
前記音声出力切替部は、前記制御部からの指示に基づいて、前記ラジオ放送入力部に入力されているラジオ放送の音声信号、または前記音声信号入力部に入力されている音声信号の一方を前記音声信号出力部から出力する切り替えを行う、請求項１または２に記載の音声出力切替装置。
【請求項４】
前記音声出力切替部は、前記ラジオ放送入力部に入力されているラジオ放送の音声信号を、前記音声信号入力部に入力されている音声信号に重ね合わせた合成音声信号を生成する音声信号合成機能を有し、
前記制御部からの指示に基づいて、前記音声信号合成機能により生成した合成音声信号、または前記音声信号入力部に入力されている音声信号の一方を前記音声信号出力部から出力する切り替えを行う、請求項１または２に記載の音声出力切替装置。
【請求項５】
前記制御部は、リセット信号が入力されたとき、前記音声出力切替部に対して前記ラジオ放送入力部に入力されているラジオ放送による音声信号の出力停止を指示する、請求項１〜４のいずれかに記載の音声出力切替装置。
【請求項６】
前記特定音声信号検知部において、受信したかどうかを検知する前記特定音声信号が、緊急地震速報の開始を示すチャイム音にかかる音声信号である、請求項１〜５のいずれかに記載の音声出力切替装置。
【発明の詳細な説明】
【技術分野】
【０００１】
この発明は、ラジオ放送による音声信号と、外部機器からの音声信号との２系統の音声信号の入力を受け付け、少なくとも一方の音声信号を出力する切り替えを行う音声出力切替装置に関し、特に、ラジオ放送による音声信号が緊急地震速報にかかる音声信号である場合に、この音声信号を優先的に出力する音声出力切替装置に関する。
【背景技術】
【０００２】
従来、気象庁等が、全国の複数の地域に設置した地震観測計により地震の発生や、発生した地震の大きさを観測している。また、最近では、気象庁は、地震による人的被害を抑えるために、発生した地震による大きな揺れが伝わる前に、地震の発生を通知する緊急地震速報の配信サービスを開始した。この緊急地震速報は、地震の発生後に配信されることから、地震による大きな揺れがくるまでの猶予時間は長くても数十秒程度ではあるが、地震による大きな揺れがくるまでに、地震に対する何らかの対応を各人に取らせることができる。したがって、この緊急地震速報を、より多くの人に速やかに通知することにより、地震による被害が抑えられる。
【０００３】
特許文献１には、緊急地震速報を速やかに通知するために、気象庁が配信した緊急地震速報を受信すると、受信した緊急地震速報を解析して得られた震源地、地震の規模、予測される揺れの大きさ等を音声で出力する装置が記載されている。
【特許文献１】特開２００７−８０２３３号公報
【発明の開示】
【発明が解決しようとする課題】
【０００４】
しかしながら、特許文献１等に記載されている従来の緊急地震速報受信装置は、受信した緊急地震速報を解析して得られた震源地、地震の規模、予測される揺れの大きさ等を音声で出力する構成であった。このため、店舗等では、顧客サービスのためにＢＧＭ（Ｂａｃｋ  Ｇｒｏｕｎｄ  Ｍｕｓｉｃ）等を流している場合、受信した緊急地震速報に基づく音声がＢＧＭにかき消され、店舗内にいる人に伝わりにくいという問題があった。
【０００５】
また、ＢＧＭ等にかき消されないように、音量を大きくして緊急地震速報にかかる音声を出力することも考えられる。しかし、このようにすると、緊急地震速報を受信したときに突然大きな音量で緊急地震速報にかかる音声が出力されるので、店舗内にいる人を逆に慌てさせ、適当な対応を取らせることができない。
【０００６】
この発明の目的は、ＢＧＭ等を流している店舗等でも、店舗内の人に緊急地震速報を確実に伝えることができ、且つ店舗内にいる人を慌てさせることなく、適当な対応を取らせることができる音声出力切替装置を提供することにある。
【課題を解決するための手段】
【０００７】
この発明の音声出力切替装置は、上記課題を解決し、その目的を達するために、以下のように構成している。
【０００８】
この音声出力切替装置には、ラジオ放送が入力されるラジオ放送入力部、および接続されている外部機器から音声信号が入力される音声信号入力部が設けられている。ラジオ放送入力部は、外部機器として接続されたラジオからラジオ放送が入力される構成であってもよいし、選局されているチャンネルで放送されているラジオ放送を受信するチューナであってもよい。また、音声信号入力部には、例えば店舗内でＢＧＭ（Ｂａｃｋ  Ｇｒｏｕｎｄ  Ｍｕｓｉｃ）等を流すオーディオ装置が外部機器として接続される。
【０００９】
音声信号出力部は、前記ラジオ放送入力部に入力されているラジオ放送の音声信号、または前記音声信号入力部に入力されている音声信号の少なくとも一方を出力する。音声出力切替部が、前記ラジオ放送入力部に入力されているラジオ放送による音声信号を、前記音声信号出力部から出力するかどうかを切り替える。
【００１０】
例えば、音声出力切替部は、音声出力部から出力される音声信号を、前記ラジオ放送入力部に入力されているラジオ放送の音声信号とするか、前記音声信号入力部に入力されている音声信号とするかを切り替える。また、音声出力部から出力される音声信号を、前記ラジオ放送入力部に入力されているラジオ放送の音声信号と、前記音声信号入力部に入力されている音声信号と、を重ね合わせた合成音声信号とするか、前記音声信号入力部に入力されている音声信号とするかを切り替える。
【００１１】
前記ラジオ放送入力部に入力されているラジオ放送の音声信号と、前記音声信号入力部に入力されている音声信号と、を重ね合わせた合成音声信号を出力する場合には、この合成音声信号を生成する構成を設ければよい。また、ラジオ放送に基づく音声信号を、前記音声信号入力部に入力されている音声信号に重ね合わせて出力するときには、ラジオ放送に基づく音声が、聞き取りやすいレベルになるように、合成するのが好ましい。
【００１２】
そして、特定音声信号検知部が、前記ラジオ放送入力部が特定の音声にかかる特定音声信号を受信したかどうかを検知する。一般に、気象庁が配信する緊急地震速報を受信した放送局は、受信した緊急地震速報に基づく地震情報の放送の開始にあたって、所定のチャイム音を放送する。このチャイム音は、放送局毎に異なっているが、ラジオ放送入力部に入力、またはラジオ放送入力部が受信しているチャンネルの放送局が使用するチャイム音を検出すれば、緊急地震速報に基づく地震情報の放送開始を検知することができる。さらに、制御部は、前記特定音声信号検知部が前記特定音声信号を受信したことを検知すると、前記音声出力切替部に対して前記ラジオ放送入力部に入力されているラジオ放送による音声信号の出力を指示する。前記音声出力切替部が、この指示にしたがって、前記音声信号出力部から出力する音声信号を切り替える。
【００１３】
したがって、緊急地震速報に基づく地震情報の放送が開始されると、音声信号出力部から緊急地震速報に基づく地震情報の放送にかかる音声信号が出力される。このため、ＢＧＭ等を流している店舗等でも、このＢＧＭにかき消されることなく、店舗内の人に緊急地震速報を確実に伝えることができる。その結果、各人に適当な対応を取らせることができる。
【００１４】
また、前記制御部は、リセット信号が入力されたとき、前記音声出力切替部に対して前記ラジオ放送入力部に入力されているラジオ放送による音声信号の出力停止を指示する構成としてもよい。
【発明の効果】
【００１５】
この発明によれば、ＢＧＭ等を流している店舗等でも、店舗内の人に緊急地震速報を確実に伝えることができ、且つ店舗内にいる人を慌てさせることなく、適当な対応を取らせることができる。
【発明を実施するための最良の形態】
【００１６】
以下、この発明の実施形態である音声出力切替装置について説明する。
【００１７】
図１は、この実施形態にかかる音声出力切替装置の主要部の構成を示すブロック図である。この音声出力切替装置１は、制御部２と、チューナ部３と、チャイム音検出部４と、音量調整部５と、外部入力部６と、音声出力切替部７と、音声出力部８と、操作部９と、表示部１０と、ヘッドホン出力端子１１と、外部制御端子１２と、を備えている。制御部２は、本体各部の動作を制御する。チューナ部３は、選局されているチャンネルで放送されているラジオ放送を受信する。チューナ部３には、ラジオ放送を受信するアンテナが接続されている。ここでは、この音声出力切替装置１がチューナ部３を備える構成で説明するが、このチューナ部３は、外部機器として設けたラジオで受信しているチャンネルのラジオ放送が入力される構成に置き換えてもよい。
【００１８】
チャイム音検出部４は、チューナ部３から入力されているラジオ放送にかかる音声信号が、予め定めたチャイム音にかかる音声信号であるかどうかを検出し、検出結果を制御部２に入力する。このチャイム音検出部４は、例えば、バンドパスフィルタとトーンディテクタとを有する複数組の検出回路を有し、各組の検出回路で周波数帯域を異ならせてラジオ放送にかかる音声信号を処理し、予め定めたチャイム音にかかる音声信号を検出する。また、チャイム音検出部４は、例えば、予め定めたチャイム音にかかる音声信号を検出すると、制御部２に入力している検出信号をハイレベルに切り替える。音量調整部５は、チューナ部３から入力されているラジオ放送にかかる音声信号の音量を調整する。
【００１９】
外部入力部６には、オーディオ装置等の外部機器が接続されるライン入力端子６ａを有し、このライン入力端子６ａに接続されている外部機器から音声信号が入力される。ライン入力端子６ａに接続される外部機器は、例えば、店舗内でＢＧＭ（Ｂａｃｋ  Ｇｒｏｕｎｄ  Ｍｕｓｉｃ）を流すオーディオ装置であり、ＣＤ等の音楽メディアを再生する再生装置や、有線放送の受信装置等である。音声出力部８は、音声信号を出力するライン出力端子８ａを有する。このライン出力端子８ａには、複数のスピーカ等で構成されるサラウンドシステムが接続される。音声出力切替部７は、音声出力部８に設けられているライン出力端子８ａから出力する音声信号を、チューナ部３で受信しているラジオ放送の音声信号、または外部入力部６に入力されている外部機器からの音声信号のいずれかに切り替えるスイッチ回路である。具体的には、チューナ部３の出力を音声出力部８のライン出力端子８ａに接続するか、または外部入力部６のライン入力端子６ａを音声出力部８のライン出力端子８ａに接続するかを、選択的に切り替えるスイッチ回路である。音声出力切替部７は、制御部２からの指示にしたがって、音声出力部８のライン出力端子８ａから出力する音声信号を切り替える。
【００２０】
操作部９は、装置本体に対するリセット入力を行うときに操作するリセットボタン等、複数の操作ボタンを有し、装置本体に対する入力操作を受け付ける。制御部２は、このリセットボタンの入力操作を検知したとき、外部入力部６に入力されている外部機器からの音声信号を、音声出力部８のライン出力端子８ａから出力することを、音声出力切替部７に指示する。また、制御部２は、チャイム音検出部４から予め定めたチャイム音にかかる音声信号を検出した旨の入力があると、チューナ部３で受信しているラジオ放送にかかる音声信号を、音声出力部８のライン出力端子８ａから出力することを、音声出力切替部７に指示する。表示部１０は、表示器を有し、この表示器における表示を制御する。表示部１０は、チューナ部３が受信しているラジオ放送のチャンネルの周波数等を表示器に表示する。ヘッドホン出力端子１１は、チューナ部３で受信しているラジオ放送にかかる音声信号を出力する端子であり、このヘッドホン出力端子１１に接続したヘッドホンでチューナ部３が受信しているラジオ放送を視聴することができる。すなわち、ヘッドホン出力端子１１に接続したヘッドホンから出力される音声を確認しながら、チューナ部３で受信するラジオ放送のチャンネル調整が行える。外部制御端子１２は、パトライト等の外部表示機器を接続する端子であり、接続されているパトライト等の外部表示機器を緊急地震速報の受信時、すなわちチャイム音検出部４が予め定めたチャイム音にかかる音声信号を検出した時、に点灯させる。
【００２１】
以下、この音声出力切替装置１の動作について説明する。
【００２２】
この音声出力切替装置１は、通常時、外部入力部６に入力されている音声信号を、音声出力部８から出力する。また、チューナ部３で緊急地震速報を受信すると、音声出力部８から出力する音声信号を、チューナ部３で受信しているラジオ放送に切り替える。また、操作部９のリセットボタンが操作されたとき、外部入力部６に入力されている音声信号を、音声出力部８から出力する。
【００２３】
図２は、この音声出力切替装置の動作を示すフローチャートである。この音声出力切替装置１は、チューナ部３で選局されているチャンネルのラジオ放送を受信している。また、外部機器から、店舗内でＢＧＭとして流す音楽等にかかる音声信号が外部入力部６に入力されている。音声出力切替装置１は、通常時、音声出力切替部７が外部入力部６に入力されている外部機器からの音声信号を、音声出力部８のライン出力端子８ａに出力している。したがって、通常時、店舗内では、外部機器から入力されているＢＧＭ等が流れている。
【００２４】
音声出力切替装置１は、チャイム音検出部４において、チューナ部３で受信しているラジオ放送にかかる音声信号が、予め定めたチャイム音にかかる音声信号であるかどうかを検出している（ｓ１）。チューナ部３は、受信チャンネルを、例えばＮＨＫ（登録商標）第１放送に調整している。この受信チャンネルの調整は、ヘッドホン出力端子１１に接続したヘッドホンから出力される音声を確認しながら行えばよい。チャイム音検出部４は、チューナ部３の受信チャンネルにおいて緊急地震速報の放送開始に先立って放送されるチャイム音を検出する。すなわち、ｓ１では、緊急地震速報の放送開始にかかるチャイム音を検出している。
【００２５】
なお、ＮＨＫ（登録商標）第１放送等の放送局は、気象庁が配信した緊急地震速報を受信すると、この緊急地震速報を解析して得られた震源地、地震の規模、予測される揺れの大きさ等を放送する。
【００２６】
音声出力切替装置１は、チャイム音検出部４が緊急地震速報の放送開始に先立って放送されるチャイム音を検出すると、その旨を制御部２に入力する。具体的には、制御部２に入力しているチャイム音検出信号をハイレベルにする。制御部２は、この入力に応じて、チューナ部３で受信しているラジオ放送にかかる音声信号を、音声出力部８のライン出力端子８ａに出力する切り替えを音声出力切替部７に指示する（ｓ２）。音声出力切替部７が、この制御部２からの指示にしたがって、チューナ部３で受信しているラジオ放送にかかる音声信号を、音声出力部８のライン出力端子８ａに出力する切り替えを行う。これにより、音声出力部８のライン出力端子８ａから出力されている音声信号が、チューナ部３で受信しているラジオ放送にかかる音声信号に切り替わる。また、音声出力切替装置１は、ｓ２で、表示部１０が表示器における表示を点滅表示させたり、外部制御端子１２に接続されているパトライト等の外部表示機器を点灯させる制御等を行って、視覚的にも地震の発生を伝えるようにしてもよい。
【００２７】
また、音量調整部５は、チューナ部３で受信しているラジオ放送にかかる音声信号が適当な音量になるように調整している。音量調整部５は、ラジオ放送にかかる音声信号を、予め設定された増幅率で増幅する。この増幅率の設定は、操作部９における操作で行える。具体的には、この音声出力切替装置１は、操作部９に設けたテストボタンを操作することにより、チューナ部３で受信しているラジオ放送にかかる音声信号を、音声出力部８のライン出力端子８ａに出力することができる。すなわち、テストボタンを操作することにより、擬似的に、チャイム音検出部４が緊急地震速報の放送開始に先立って放送されるチャイム音を検出した状態に移行させることができる。したがって、調整者は、テストボタンを操作することにより、チューナ部３で受信しているラジオ放送の音量を確認しながら、音量調整部５の増幅率を調整することができる。
【００２８】
また、緊急地震速報の放送開始にかかるチャイム音は、一時的に放送されるものである。チャイム音検出部４は、制御部２に入力しているチャイム音検出信号を、このチャイム音の検出時に一時的にハイレベルにするが、その後、ローレベルに戻す。制御部２は、チャイム音検出部４から入力されているチャイム音検出信号がハイレベルからローレベルに変化しても、音声出力切替部７に対して、音声出力部８のライン出力端子８ａに出力する音声信号を、チューナ部３で受信しているラジオ放送にかかる音声信号から、外部入力部６に入力されている外部機器からの音声信号に切り替えることを指示しない。
【００２９】
したがって、店舗内で、緊急地震速報にかかるラジオ放送を速やかに流すことができる。また、店舗では、緊急地震速報にかかるラジオ放送が適当な音量で流れる。このとき、外部入力部６に入力されている外部機器からの音声信号にかかるＢＧＭ等は、店舗内で流れていない。このため、ＢＧＭ等を流している店舗等でも、店舗内の人に緊急地震速報を確実に伝えることができ、且つ店舗内にいる人を慌てさせることがないので、各人に適当な対応を取らせることができる。
【００３０】
制御部２は、操作部９に設けられているリセットボタンが操作されると（ｓ３）、音声出力部８のライン出力端子８ａに出力する音声信号を、チューナ部３で受信しているラジオ放送にかかる音声信号から、外部入力部６に入力されている外部機器からの音声信号に切り替えることを、音声出力切替部７に指示する（ｓ４）。音声出力切替部７が、この制御部２からの指示にしたがって、外部入力部６に入力されている外部機器からの音声信号を、音声出力部８のライン出力端子８ａに出力する切り替えを行う。これにより、外部入力部６に入力されている外部機器からの音声信号が、音声出力部８のライン出力端子８ａに出力される。すなわち、外部機器から入力されているＢＧＭ等が店舗内で流れる。
【００３１】
このように、操作部９のリセットボタンを操作することにより、音声出力部８のライン出力端子８ａに出力する音声信号を、チューナ部３で受信しているラジオ放送にかかる音声信号から、外部入力部６に入力されている外部機器からの音声信号に切り替えることができる。
【００３２】
なお、音声出力切替装置１は、音声出力部８のライン出力端子８ａに出力する音声信号を、ｓ２でチューナ部３で受信しているラジオ放送にかかる音声信号に切り替えてから、一定時間経過後に、ｓ４で音声出力部８のライン出力端子８ａに出力する音声信号を、外部入力部６に入力されている外部機器からの音声信号に自動的に切り替える構成としてもよい。この一定時間は、緊急地震速報の放送時間が３０秒程度であることから、４０秒〜１分程度の時間にすればよい。
【００３３】
音声出力切替装置１は、上述したｓ１〜ｓ４の処理を繰り返す。
【００３４】
また、上記の音声出力切替装置１における、外部入力部６のライン入力端子６ａ、および音声出力部８のライン出力端子８ａを、それぞれ、スピーカ入力端子６ｂ、およびスピーカ出力端子８ｂに置き換えてもよい（図３参照）。この場合、スピーカ出力端子８ｂに接続されたスピーカから、チューナ部３で受信しているラジオ放送にかかる音声が出力されたときに、このラジオ放送にかかる音声を聞き取りやすいレベルに増幅するパワーアンプ２０を必要に応じて設ければよい。このパワーアンプ２０は、図３に示すように、音量調整部５と音声出力切替部７との間に設ければよい。また、ライン入力端子６ａおよびスピーカ入力端子６ｂを外部入力部６に設け、ライン出力端子８ａおよびスピーカ出力端子８ｂを音声出力部８に設けた構成としてもよい（図４参照）。この場合には、図４に示すように、音声出力切替部７に、出力する音声信号を切り替えるスイッチ回路を２系統設ければよい。
【００３５】
また、ライン入力端子６ａまたはスピーカ入力端子６ｂのどちらか一方を外部入力部６に設け、ライン出力端子８ａおよびスピーカ出力端子８ｂを音声出力部８に設けた構成としてもよい（図５、および図６参照）。ライン入力端子６ａを外部入力部６に設けない場合は、図５に示すように、減衰部２１を設け、スピーカ出力端子８ｂへの出力を、この減衰部２１で減衰させてライン出力端子８ａの出力とすればよい。また、ラスピーカ入力端子６ｂを外部入力部６に設けない場合は、図６に示すように、パワーアンプ２０を設け、ライン出力端子８ａへの出力を、このパワーアンプ２０で増幅し、スピーカ出力端子８ｂの出力とすればよい。
【００３６】
また、上記の音声出力切替装置１は、チューナ部３で受信しているラジオ放送にかかる音声信号、または外部入力部６に入力されている外部機器からの音声信号のどちらか一方を音声出力部８から出力するとしたが、通常時は、上記と同様に外部入力部６に入力されている外部機器からの音声信号を音声出力部８に出力し、緊急地震速報の受信時は、外部入力部６に入力されている外部機器からの音声信号とチューナ部３で受信しているラジオ放送にかかる音声信号と、を重ね合わせた合成音声信号を音声出力部８に出力する構成としてもよい。図７、および図８は、この場合の音声出力切替部の構成を示す図である。
【００３７】
図７に示すように、外部機器から入力されている音声信号が、外部入力部６のライン入力端子６ａに入力されている場合、音声出力切替部７は、ライン入力端子６ａに入力されている音声信号の音量を調整する音量調整部３１、および外部機器から入力されている音声信号とチューナ部３で受信しているラジオ放送にかかる音声信号とを重ね合わせる音声合成部３２とで構成される。この図７に示す構成では、通常時は、音声合成部３２の機能を停止し、外部入力部６のライン入力端子６ａに入力されている外部機器からの音声信号を、音声信号出力部８のライン出力端子８ａに出力する。このとき、音量調整部３１では、外部入力部６のライン入力端子６ａに入力されている音声信号が、適正な音量でライン出力端子８ａに出力されるように、この音声信号の音量を調整する。
【００３８】
また、この音声出力切替装置１は、チャイム音検出部４で緊急地震速報の放送開始にか
かるチャイム音を検出すると、外部入力部６のライン入力端子６ａに入力されている音声信号を音量調整部３１で調整する。また、チューナ部３で受信しているラジオ放送にかかる音声信号を音量調整部５で調整する。そして、音声合成部３２を起動し、音量調整部３１で調整された外部入力部６のライン入力端子６ａに入力されている音声信号と、音量調整部５で調整されたチューナ部３で受信しているラジオ放送にかかる音声信号と、を合成する。音声合成部３２で合成した合成音声信号を、音声出力部８のライン出力端子８ａに出力する。音声出力部８のライン出力端子８ａに出力している音声信号にかかる音声が、チューナ部３で受信しているラジオ放送にかかる音声が聞き取りやすいように、音量調整部３１、および音量調整部５で外部入力部６のライン入力端子６ａに入力されている音声信号の音量および、チューナ部３で受信しているラジオ放送にかかる音声信号の音量を調整する。簡単に言うと、音量調整部３１では、外部入力部６のライン入力端子６ａに入力されている音声信号の音量を絞り、音量調整部５では、チューナ部３で受信しているラジオ放送にかかる音声信号の音量を大きくする。
【００３９】
さらに、図８に示すように、外部入力部６のライン入力端子６ａ、および音声出力部８のライン出力端子８ａを、それぞれ、スピーカ入力端子６ｂ、およびスピーカ出力端子８ｂに置き換えた場合には、音声出力切替部７は、減衰部３５、およびパワーアンプ３６を、さらに追加した構成となる。減衰部３５は、スピーカ入力端子６ｂに入力されている音声信号を減衰させて音量調整部３１に入力する。パワーアンプ３６は、音声合成部３２の出力を増幅して出力する。これにより、図７と同様に、通常時は、上記と同様に外部入力部６に入力されている外部機器からの音声信号を音声出力部８に出力し、緊急地震速報の受信時は、外部入力部６に入力されている外部機器からの音声信号とチューナ部３で受信しているラジオ放送にかかる音声信号と、を重ね合わせた合成音声信号を音声出力部８に出力することができる。また、この合成音声信号についても、チューナ部３で受信しているラジオ放送にかかる音声が聞き取りやすいように合成できる。
【図面の簡単な説明】
【００４０】
【図１】音声出力切替装置の主要部の構成を示すブロック図である。
【図２】音声出力切替装置の動作を示すフローチャートである。
【図３】別の音声出力切替装置の主要部の構成を示すブロック図である。
【図４】別の音声出力切替装置の主要部の構成を示すブロック図である。
【図５】別の音声出力切替装置の主要部の構成を示すブロック図である。
【図６】別の音声出力切替装置の主要部の構成を示すブロック図である。
【図７】別の音声出力切替装置の主要部の構成を示すブロック図である。
【図８】別の音声出力切替装置の主要部の構成を示すブロック図である。
【符号の説明】
【００４１】
１−音声出力切替装置
２−制御部
３−チューナ部
４−チャイム音検出部
５、３１−音量調整部
６−外部入力部
６ａ−ライン入力端子
６ｂ−スピーカ入力端子
７−音声出力切替部
７ａ−ライン出力端子
７ｂ−スピーカ出力端子
８−音声出力部
９−操作部
１０−表示部
１１−ヘッドホン出力端子
１２−外部制御端子
２０、３６−パワーアンプ
２１、３５−減衰部
【図１】
2009129348.tif 000003
【図２】
2009129348.tif 000004
【図３】
2009129348.tif 000005
【図４】
2009129348.tif 000006
【図５】
2009129348.tif 000007
【図６】
2009129348.tif 000008
【図７】
2009129348.tif 000009
【図８】
2009129348.tif 000010